(57)【特許請求の範囲】
【請求項１】
居室に隣接する収納区画に水耕栽培装置を設置する水耕栽培装置の設置構造において、
前記居室と前記収納区画との間には、開口部が設けられ、
この開口部に仕切り建具が設けられ、
前記収納区画の床は、前記居室の床より低く、
前記水耕栽培装置は、植物を栽培するための容器を配置する底板と、この底板の下方にキャスターを有し、
前記開口部において、この水耕栽培装置の底板と前記居室の床とは高さが等しく、
前記水耕栽培装置の前部が前記開口部の近傍に位置しており、前記水耕栽培装置の後方には水耕栽培装置を移動可能な空間が設けられ、
前記収納区画を形成する壁に、前記収納区画から屋内空間または屋外空間への開口部が設けられ、この開口部に仕切り建具が設けられており、
前記収納区画の床と前記屋内空間の床または前記屋外空間の床とは同じ高さであり、
前記収納区画の天井に前記収納区画内へ空気を吹き出す空調用開口が設けられ、前記収納区画を形成する壁のうち前記屋外空間側の壁に前記収納区画内の空気を排気するための排気口が設けられる、
ことを特徴とする水耕栽培装置の設置構造。
【請求項２】
前記屋外空間側の前記壁は、前記水耕栽培装置の後方に設けられ、
前記排気口は、前記屋外空間側の壁の最下部に設けられ、
前記排気口には、前記屋内空間の空気を吸気して前記屋外空間へと排気する換気扇が設けられることを特徴とする請求項１に記載の水耕栽培装置の設置構造。
【請求項３】
前記居室との開口部における仕切り建具は、透明または半透明な仕切り建具であり、前記水耕栽培装置の前部が前記開口部の近傍に位置しており、前記水耕栽培装置の後部に鏡がその鏡面を前記開口部に向けて設けられている、
ことを特徴とする請求項１または２に記載の水耕栽培装置の設置構造。
【請求項４】
前記収納区画の床から１．０以上〜１．４ｍ以下の高さの天井に前記空調用開口が設けられている、
ことを特徴とする請求項１〜３のいずれか一項に記載の水耕栽培装置の設置構造。
【請求項５】
前記底板の下に、液肥を入れる液肥タンクが設けられている、
ことを特徴とする請求項１〜４のいずれか一項に記載の水耕栽培装置の設置構造。
【発明の詳細な説明】
【技術分野】
【０００１】
本発明は、水耕栽培装置の設置構造に関する。
【背景技術】
【０００２】
玄関やバルコニー等に植物を飾ったり、庭に植物を植栽したりして、屋内側から、これを観賞することが一般になされている。
また、屋外だけでなく、プランターや鉢等の容器を建物内に配置し、この容器で植物を栽培し、これを鑑賞することが行われている（例えば、特許文献１参照）。このように建物内で植物を鑑賞することによって、自然を身近に感じることができる。しかも、屋外よりも生育環境を安定化できるので、種々の植物を栽培しやすくなる。
【先行技術文献】
【特許文献】
【０００３】
【特許文献１】特開２００５−２７８６１１号公報
【発明の概要】
【発明が解決しようとする課題】
【０００４】
ところが、近年、特に住宅等の建物の分野において緑化が推進されており、より多くの植物を栽培するための栽培用スペースを建物内に確保したいという要望がある。多くの植物を室内で栽培すると、肥料等による臭いがするという課題、植物の温度および湿度管理等の条件が居室の環境と異なる場合があるという課題があった。また、栽培用スペースである収納区画を建物内に確保する一方で、作業性の向上および収納区画と居室との連続性を確保することが望まれる。
【０００５】
本発明は、前記居室への臭いの遮断、前記居室の環境と異なる収納区画における温度および湿度管理を容易にすることができ、作業性の向上および収納区画と居室との連続性を確保することができる水耕栽培装置の設置構造を提供することを目的とする。
【課題を解決するための手段】
【０００６】
上記課題を解決するために、請求項１に記載の水耕栽培装置１００の設置構造に係る発明は、例えば、図１、図２に示すように、
居室１０に隣接する収納区画２０に水耕栽培装置１００を設置する水耕栽培装置１００の設置構造において、
前記居室１０と前記収納区画２０との間には、開口部３０が設けられ、
この開口部３０に仕切り建具３１が設けられ、
前記収納区画２０の床２１は、前記居室１０の床１１より低く、
前記水耕栽培装置１００は、植物を栽培するための容器２００を配置する底板１２０と、この底板１２０の下方にキャスター１３０を有し、
前記開口部３０において、この水耕栽培装置１００の底板１２０と前記居室１０の床１１とは高さが等しく、
前記水耕栽培装置１００の前部が前記開口部３０の近傍に位置しており、前記水耕栽培装置１００の後方には水耕栽培装置１００を移動可能な空間が設けられ、
前記収納区画２０を形成する壁６０Ａ，６０Ｂに、前記収納区画２０から屋内空間４０または屋外空間５０への開口部６１Ａ，６１Ｂが設けられ、この開口部６１Ａ，６１Ｂに仕切り建具６２Ａ，６２Ｂが設けられており、
前記収納区画２０の床２１と前記屋内空間４０の床４１または前記屋外空間５０の床５１は同じ高さであり、
前記収納区画２０の天井２２に前記収納区画２０内へ空気を吹き出す空調用開口２２ａが設けられ、前記収納区画２０を形成する壁６０Ａ，６０Ｂのうち前記屋外空間５０側の壁６０Ｂに前記収納区画２０内の空気を排気するための排気口３３が設けられる、
ことを特徴とする。
【０００７】
請求項１に記載の発明によれば、前記開口部３０に仕切り建具３１が設けられているので、この仕切り建具３１で前記居室１０と前記収納区画２０とを区切り閉じた空間とすることにより、収納区画２０から前記居室１０への臭いの遮断、前記居室１０の環境と異なる収納区画２０における温度および湿度管理を容易にすることができ、前記水耕栽培装置１００はキャスター１３０を有しているので、前記水耕栽培装置１００を任意の場所に移動して作業することで作業性を向上でき、前記開口部３０において、この水耕栽培装置１００の底板１２０と前記居室１０の床１１とは高さが等しいので、前記居室１０と前記収納区画２０との連続性が確保できる。
また、前記水耕栽培装置１００の後方には水耕栽培装置１００を移動可能な空間が設けられているので、作業等の際に水耕栽培装置１００を水耕栽培装置１００の後方に移動して作業できる。
また、前記収納区画２０を形成する壁６０Ａ，６０Ｂに、前記収納区画２０から屋内空間４０または屋外空間５０への開口部６１Ａ，６１Ｂが設けられているので、前記建具６２Ａ，６２Ｂによって開口部６１Ａ，６１Ｂを開放・閉塞できるとともに、前記収納区画２０から同じ高さの４１，床５１を有する屋内空間４０または屋外空間５０に前記水耕栽培装置１００を容易に移動することができる。
また、前記収納区画２０内へ空気を吹き出す空調用開口２２ａと前記収納区画２０内の空気を排気するための排気口３３とが設けられているので、前記収納区画２０の空気を入れ替えることにより、前記収納区画内２０の空気を新鮮に保つことができる。
【００１０】
請求項２に記載の発明は、例えば、図１に示すように、
請求項１に記載の水耕栽培装置１００の設置構造において、
前記屋外空間５０側の前記壁６０Ｂは、前記水耕栽培装置１００の後方に設けられ、
前記排気口３３は、前記壁６０Ｂの最下部に設けられ、
前記排気口３３には、前記屋内空間４０の空気を吸気して前記屋外空間５０へと排気する換気扇３５が設けられる
ことを特徴とする。
【００１２】
請求項３に記載の発明は、例えば、図１、図３に示すように、
請求項１または２に記載の水耕栽培装置１００の設置構造において、
前記居室１０との開口部３０における仕切り建具３１は、透明または半透明な仕切り建具であり、前記水耕栽培装置１００の前部が前記開口部３０の近傍に位置しており、前記水耕栽培装置１００の後部に鏡１７０がその鏡面を前記開口部３０に向けて設けられている、
ことを特徴とする。
【００１３】
請求項３に記載の発明によれば、前記建具３１は透明または半透明な仕切り建具であるので、開口部を閉塞した状態で、前記居室１０から前記収納区画２０へ空間の連続性を保ちつつ、植物の観察が可能になる一方で、開口部３０に向けて設けられた鏡１７０の像により、視覚的に広がりのある空間を提供できる。
【００１６】
請求項４に記載の発明は、例えば、図１に示すように、
請求項１〜３のいずれか一項に記載の水耕栽培装置１００の設置構造において、
前記収納区画２０の床２１から１．０以上〜１．４ｍ以下の高さの天井２２に前記空調用開口２２ａが設けられている、
ことを特徴とする。
【００１７】
請求項４に記載の発明によれば、前記収納区画２０の床２１から１．０以上〜１．４ｍ以下の高さの天井２２に前記空調用開口２２ａが設けられているので、通常の収納空間より狭くすることにより、空調の効率を向上することができる。
【００１８】
請求項５に記載の発明は、例えば、図１、図３に示すように、
請求項１〜４のいずれか一項に記載の水耕栽培装置１００の設置構造において、
前記底板１２０の下に、液肥を入れる液肥タンク１５０が設けられている、
ことを特徴とする。
【００１９】
請求項５に記載の発明によれば、前記底板１２０の下に、前記液肥を入れる液肥タンク１５０が設けられているので、居室１０から前記液肥タンク１５０が見えなくなり、美観が向上する。
【発明の効果】
【００２０】
本発明によれば、前記居室への臭いの遮断、前記居室の環境と異なる収納区画における温度および湿度管理を容易にすることができ、作業性の向上および収納区画と居室との連続性を確保することができる水耕栽培装置の設置構造を提供することができる。
【図面の簡単な説明】
【００２１】
【図１】本発明に係る水耕栽培装置の設置構造の一例を示す図であり、居室と収納区画と水耕栽培装置の配置を示す立面断面図である。
【図２】同、平面図である。
【図３Ａ】水耕栽培装置の一例を示す図であり、正面図である。
【図３Ｂ】同、平面図である。
【図３Ｃ】同、左側面図である。
【図３Ｄ】同、右側面図である。
【図４】本発明に係る水耕栽培装置の設置構造の変形例を示す立面断面図である。
【発明を実施するための形態】
【００２２】
以下、図面を参照して本発明の実施の形態について説明する。
【００２３】
＜実施の形態＞
（居室１０と収納区画２０）
図１において、居室１０に隣接する収納区画２０に水耕栽培装置１００が設置されている。前記居室１０と前記収納区画２０との間には、開口部３０が設けられ、この開口部３０に透明または半透明の引き分け戸である仕切り建具３１が設けられている。また、前記収納区画２０の床２１は、前記居室１０の床１１より低い。前記収納区画２０の床２１はコンクリートの土間であり、この土間上に水耕栽培装置１００が設置されている。
【００２４】
（水耕栽培装置１００）
図３に示すように、前記水耕栽培装置１００は、左側のつる植物用水耕栽培部１００Ａと、中央の蓄電池１５５を収納する蓄電池収納部１００Ｂと、右側の葉菜等植物用水耕栽培部１００Ｃとを備えている。つる植物用水耕栽培部１００Ａと、蓄電池収納部１００Ｂと、葉菜等植物用水耕栽培部１００Ｃとは、一体として設けられている。前記水耕栽培装置１００は、任意の方向に移動可能にするために、キャスター１３０を有する。
【００２５】
つる植物用水耕栽培部１００Ａは、トマトなどのつる植物を栽培するために使用される。つる植物用水耕栽培部１００Ａは、植物を栽培するための容器２００を配置する底板１２０と、天板１２５と、これらの短辺にそれぞれ配置された側板である支持体１１０ａ，１１０ｂとで形成された枠体と、この枠体の背面に配置された鏡１７０とからなる箱体に、下方を照らす照明器具が組み込まれた棚板１４０ａと格子状部材１４０ｂが取り付けられて構成されている。前記棚板１４０ａと前記格子状部材１４０ｂとは、これらの短辺がそれぞれ支持体１１０ａ，１１０ｂに支持されている。また、棚板１４０ａと格子状部材１４０ｂとは、つる植物の大きさに合わせて上下方向に移動可能である。更に、前記つる植物用水耕栽培部１００Ａは、前記底板１２０の下に液肥を入れる液肥タンク１５０が設けられ、前記底板１２０の下方にキャスター１３０が設けられている。前記つる植物用水耕栽培部１００Ａは、キャスター１３０を有している。なお、前記底板１２０の下方にキャスター１３０が設けられているとは、前記底板１２０より下にキャスター１３０が設けられていることを含み、支持体１１０ａ，１１０ｂの下方にキャスター１３０が設けられている場合も含む。
【００２６】
前記蓄電池収納部１００Ｂは、蓄電池１５５を配置する底板１２１と、天板１２６と、これらの長辺にそれぞれ配置された側板である支持体１１０ｃ，１１０ｄとで形成された枠体と、この枠体の背面に配置された背板１２３とからなる箱体に、棚板１２７が取り付けられて構成されている。棚板１２７はその長辺がそれぞれ支持体１１０ｃ，１１０ｄに支持されている。更に、前記蓄電池収納部１００Ｂは、前記底板１２１の下に、キャスター１３０が設けられている。前記蓄電池収納部１００Ｂには、蓄電池１５５の操作部１２８を露出した状態で、前記蓄電池収納部１００Ｂの前部を覆う前面板１２９が設けられている。
【００２７】
前記葉菜等植物用水耕栽培部１００Ｃは、植物を栽培するための容器２００を配置する底板１２０と、天板１２５と、これらの短辺にそれぞれ配置された側板である支持体１１０ｅ，１１０ｆとで形成された枠体と、この枠体の背面に配置された鏡１７０とからなる箱体に、複数の棚板１３５が取り付けられて構成されている。複数の棚板１３５はこれらの短辺がそれぞれ支持体１１０ｅ，１１０ｆに支持されている。複数の棚板１３５の各々には、下方を照らす照明器具１６２と配管１６１の一部とが組み込まれている。配管１６１はポンプ１６０から８分岐１６３を経由して各棚板１３５上まで設けられ、各棚板１３５上の容器２１０に液肥が供給されるように設けられている。更に、前記葉菜等植物用水耕栽培部１００Ｃは、前記底板１２０の下に、液肥を入れる液肥タンク１５０と、キャスター１３０が設けられている。液肥タンク１５０内には、ポンプ１６０が取り付けられ、ポンプを駆動することにより、配管１６１に液肥を送り込み、棚板１３５上の容器２１０に液肥が供給される。
【００２８】
（水耕栽培装置１００の底板１２０と居室１０の床１１）
図１に示すように、前記開口部３０において、この水耕栽培装置１００の底板１２０と前記居室１０の床１１とは高さが等しい。水耕栽培装置１００の底板１２０の高さは、居室１０の床１１と収納区画２０の床２１の段差に合わせて、予め決定される。また、図１に示すように、前記水耕栽培装置１００の前部が前記開口部３０の近傍に位置しており、前記水耕栽培装置１００の後方には水耕栽培装置１００を移動可能な空間が設けられ、前記水耕栽培装置１００は、鏡１７０の鏡面を前記開口部３０に向けて、前記収納区画２０に設置されている。鏡１７０には、水耕栽培装置１００に配置された容器２００，２１０、水耕栽培装置１００の底板１２０、居室１０等の像が映る。
【００２９】
（収納区画２０）
前記収納区画２０は、床２１と、天井２２と、仕切り建具３１と、壁６０Ａ〜６０Ｃとで囲まれた空間である。天井２２の高さは前記収納区画２０の床２１から１．０以上〜１．４ｍ以下であり、この天井２２に前記収納区画２０内へ空気を吹き出す空調用開口２２ａと監視カメラ２２ｃが設けられている。空調用開口２２ａは、天井２２裏に配置された空調配管２２ｂと接続されており、収納区画２０の外部の空気を取り入れている。監視カメラ２２ｃで撮像された映像は、居室１０等に配置された監視モニター（図示せず）で見ることができる。また、前記収納区画２０の壁６０Ｂに、前記収納区画２０内の空気を排気するための排気口３３が形成されている。排気口３３に換気扇３５が取り付けられ、この換気扇３５を蓄電池１５５からの電力により動作することにより、収納区画２０内の空気を強制換気できる。なお、前記収納区画２０の壁６０Ｃに排気口３３を形成してもよい。水耕栽培装置１００の高さは、天井２２の高さに合わせて、予め決定される。
【００３０】
前記収納区画２０を形成する壁６０Ａ，６０Ｂに、前記収納区画２０から屋内空間４０への開口部６１Ａおよび前記収納区画２０から屋外空間５０への開口部６１Ｂが設けられている。この開口部６１Ａ，６１Ｂに仕切り建具６２Ａ，６２Ｂがそれぞれ設けられており、前記収納区画２０の床２１と屋内空間４０の床４１または屋外空間５０の床５１は同じ高さである。図２において、仕切り建具６２Ａは引き戸であり、仕切り建具６２Ｂは両開き戸である。
【００３１】
（水耕栽培装置１００の移動等）
水耕栽培装置１００は、キャスター１３０を有しているため、床２１上を容易に移動できる。例えば、居住者が居室１０から作業をする場合、仕切り建具３１の戸を開き、水耕栽培装置１００を後方に移動し、開口部３０と水耕栽培装置１００との間に作業空間を確保する。この状態にすると、居住者が床２１に足を置いて床１１に座った姿勢をとることができるので、居住者は楽な姿勢で作業をすることができる。
【００３２】
また、居室１０から見て、左側の室内空間４０の床４１に水耕栽培装置１００を移動することができる。この場合、屋内空間４０と収納区画２０間の仕切り建具６２Ａの戸を開き、水耕栽培装置１００を移動する。屋内空間４０に水耕栽培装置１００を移動できると、寒いときや雨が降っているときでも、屋内空間４０において水耕栽培装置１００の後ろ側でも作業ができ、便利である。床４１はコンクリートの床であることが望ましい。
【００３３】
また、居室１０から見て、屋外空間５０の床５１に水耕栽培装置１００を移動することができる。この場合、屋外空間５０と収納区画２０間の仕切り建具６２Ｂの戸を開き、水耕栽培装置１００を移動する。屋外空間５０に水耕栽培装置１００を移動できると、天気のよい日に、水耕栽培装置１００を外に出して作業をしたい場合に、便利である。なお、水耕栽培装置１００を移動しないで、仕切り建具６２Ｂの戸を開き、水耕栽培装置１００の後ろ側で作業をすることもできる。床５１はコンクリートの床であることが望ましい。
【００３４】
本実施の形態によれば、前記開口部３０に仕切り建具３１が設けられているので、この仕切り建具３１で前記居室１０と前記収納区画２０とを区切り閉じた空間とすることにより、収納区画２０から前記居室１０への臭いの遮断、前記居室１０の環境と異なる収納区画２０における温度および湿度管理を容易にすることができ、前記水耕栽培装置１００はキャスター１３０を有しているので、前記水耕栽培装置１００を任意の場所に移動して作業することで作業性等を向上でき、前記開口部３０において、この水耕栽培装置１００の底板１２０と前記居室１０の床１１とは高さが等しいので、前記居室１０と前記収納区画２０との連続性が確保できる。
【００３５】
また、前記水耕栽培装置１００の後方には水耕栽培装置１００を移動可能な空間が設けられているので、作業等の際に水耕栽培装置１００を水耕栽培装置１００の後方に移動して作業できる。
【００３６】
また、前記収納区画２０を形成する壁６０Ａに前記収納区画２０から屋内空間４０への開口部６１Ａが設けられ、前記収納区画２０を形成する壁６０Ｂに前記収納区画２０から屋外空間５０への開口部６１Ｂが設けられているので、前記建具６２Ａ，６２Ｂによって開口部６１Ａ，６１Ｂを開放・閉塞できるとともに、前記収納区画２０から同じ高さの床４１，５１を有する屋内空間４０および屋外空間５０のいずれにも前記水耕栽培装置１００を容易に移動することができる。
【００３７】
また、前記収納区画２０の天井２２に、収納区画２０内へ空気を吹き出す空調用開口２２ａが形成され、前記収納区画２０の壁に、収納区画２０内の空気を排気するための排気口３３とが形成されているので、前記収納区画２０の空気を入れ替えることにより、前記収納区画内２０の空気を新鮮に保つことができる。
【００３８】
また、前記収納区画２０の床２１から１．０以上〜１．４ｍ以下の高さの天井２２に前記空調用開口２２ａが設けられているので、通常の収納空間より狭くすることにより、空調の効率を向上することができる。
【００３９】
また、前記底板１２０の下に、前記液肥を入れる液肥タンク１５０が設けられているので、居室１０から前記液肥タンク１５０が見えなくなり、美観が向上する。
【００４０】
（変形例）
次に、図４を参照して、変形例について以下説明する。なお、変形例においては、上記実施の形態と同じ部材には同一の符号を付し、説明を省略する。
【００４１】
上記実施の形態においては、収納区画２０において、水耕栽培装置１００の後方に移動可能な空間を設けた例について説明したが、これに限られない。図４に示すように、水耕栽培装置１００の後方に固定の間仕切壁２５または移動可能な間仕切壁２５を設けて、水耕栽培装置１００の後方に移動可能な空間を設けないようにしてもよい。この場合は、上記実施の形態に比べて、水耕栽培装置１００の収納区画２０がより小さな空間となるため、前記居室１０の環境と異なる収納区画２０における温度および湿度管理をより容易にすることができる。なお、間仕切壁２５には、通気口２５ａが設けられている。温度および湿度管理は、空間が狭くなるほど、空間内における温度および湿度むらが少なくなるため、管理が容易となる。
【００４２】
また、上記実施の形態においては、透明または半透明の仕切り建具３１である例について説明したが、これに限られない。透明または半透明の仕切り建具３１の代わりに、非透明の仕切り建具を採用してもよい。この場合でも、前記開口部３０に仕切り建具が設けられているので、この仕切り建具で前記居室１０と前記収納区画２０とを区切り閉じた空間とすることにより、収納区画２０から前記居室１０への臭いの遮断、前記居室１０の環境と異なる収納区画２０における温度および湿度管理を容易にすることができ、前記開口部３０において、前記仕切り建具を開くことにより、前記居室１０と前記収納区画２０との連続性が確保できる。
【００４３】
また、上記実施の形態においては、収納区画２０において、水耕栽培装置１００の後方に移動可能な空間を設けた例について説明したが、これに限られない。収納区画２０において、水耕栽培装置１００を後方に移動可能な空間を設けずに、前記収納区画２０を形成する壁６０Ａ−６０Ｃの少なくとも一つの壁に、前記収納区画２０から屋内空間４０への開口部６１Ａまたは前記収納区画２０から屋外空間５０への開口部６１Ｂを設け、この開口部６１Ａ，６１Ｂに仕切り建具６２Ａ，６２Ｂを設けてもよい。
【００４４】
また、上記実施の形態においては、収納区画２０において、空調用配管２２ｂを床パネル３７の下部に配置したが、これに限られない。空調用配管２２ｂを床パネル３７内に配置してもよい。
【００４５】
また、上記実施の形態においては、支持体１１０ａ〜１１０ｆを側板である例について説明したが、これに限られない。側板の代わりに、複数のパイプを用いて、棚板等の隅部を支持するように水耕栽培装置１００を構成してもよい。
【符号の説明】
【００４６】
１０  居室
２０  収納区画
１１，２１  床
２２  天井
２２ａ  空調用開口
２２ｂ  空調用配管
２５  間仕切壁
３０  開口部
３１  仕切り建具
３３  排気口
３５  換気扇
３７  床パネル
４０  屋内空間
５０  屋外空間
４１，５１  床
５０  屋内空間
６０Ａ−６０Ｃ  壁
６１Ａ，６１Ｂ  開口部
６２Ａ，６２Ｂ  仕切り建具
１００  水耕栽培装置
１００Ａ  つる植物用水耕栽培部
１００Ｂ  蓄電池収納部
１００Ｃ  葉菜等植物用水耕栽培部
１１０ａ−１１０ｆ  支持体
１２０，１２１  底板
１２５，１２６  天板
１２７  棚板
１２８  操作部
１２９  前面板
１３０  キャスター
１３５  棚板
１４０ａ  棚板
１４０ｂ  格子状部材
１５０  液肥タンク
１５５  蓄電池
１７０  鏡
２００，２１０  容器
【図１】
0005876757.tif 000002
【図２】
0005876757.tif 000003
【図３Ａ】
0005876757.tif 000004
【図３Ｂ】
0005876757.tif 000005
【図３Ｃ】
0005876757.tif 000006
【図３Ｄ】
0005876757.tif 000007
【図４】
0005876757.tif 000008